(57)【要約】【課題】無駄な大空間を減らすことができるとともに、内部及び外部双方からの視認性を高めることができる建物構造を提供する。【解決手段】建物１０の第２構造物１４は、第１構造物１２に連結されているとともに、段違いとされた複数の屋根材３２、３４を備えている。【選択図】図１
2019100022.tif 000002
【特許請求の範囲】
【請求項１】
段違いとされた複数の屋根材を備え、他の構造物に連結された一の構造物を有する建物構造。
【請求項２】
前記一の構造物と前記他の構造物とは、交差して配置されるとともに一部の柱を共有している、請求項１に記載の建物構造。
【請求項３】
複数の前記屋根材は平面視で互いにラップしており、前記屋根材間には透明な仕切部材が設置されている、請求項１又は２に記載の建物構造。
【請求項４】
前記屋根材は、並列に延びる複数の梁材と、前記梁材の間に架設された連結部材と、前記梁材と前記連結部材の間に設けられた水平ブレースと、を有する、請求項１〜３のいずれか１項に記載の建物構造。
【発明の詳細な説明】
【技術分野】
【０００１】
本発明は、建物構造に関する。
【背景技術】
【０００２】
例えば特許文献１には、ショールーム等として用いられる大空間を有する構造物が開示されている。
【先行技術文献】
【特許文献】
【０００３】
【特許文献１】特開２００２−２０１７１３号公報
【発明の概要】
【発明が解決しようとする課題】
【０００４】
特許文献１に示すような大空間を有する構造物では、一般的に、構造物全体の屋根の高さが高くされているため、展示スペース以外のスペースが無駄な大空間となり、空調効率等が良好ではなかった。また、構造物の屋根を支持可能な幅の柱によって展示スペースの四方が囲まれているため、構造物の内部及び外部双方からの視認性が良好ではなかった。
【０００５】
本発明は上記事実に鑑み、無駄な大空間を減らすことができるとともに、内部及び外部双方からの視認性を高めることができる建物構造を提供することを目的とする。
【課題を解決するための手段】
【０００６】
請求項１に記載の建物構造は、段違いとされた複数の屋根材を備え、他の構造物に連結された一の構造物を有する。
【０００７】
上記構成によれば、一の構造物が段違いとされた複数の屋根材を備えている。このため、屋根材をそれぞれ真下の内部空間の用途に応じた高さに設定することができ、一の構造物の屋根全体を高く設定する構成と比較して、無駄な大空間を減らすことができ、空調効率等を高めることができる。
【０００８】
また、一の構造物が他の構造物に連結されているため、一の構造物が他の構造物に連結されていない構成と比較して、一の構造物の柱を細くすることができる。このため、一の構造物の内部及び外部双方からの視認性を高めることができる。
【０００９】
請求項２に記載の建物構造は、請求項１に記載の建物構造であって、前記一の構造物と前記他の構造物とは、交差して配置されるとともに一部の柱を共有している。
【００１０】
上記構成によれば、交差して配置される一の構造物と他の構造物が柱を共有しているため、一の構造物を他の構造物で補強することができる。
【００１１】
請求項３に記載の建物構造は、請求項１又は２に記載の建物構造であって、複数の前記屋根材は平面視で互いにラップしており、前記屋根材間には透明な仕切部材が設置されている。
【００１２】
上記構成によれば、平面視で互いにラップした屋根材間に透明な仕切部材が設置されている。このため、仕切部材によって一の構造物の内部空間の空気の流れを遮断することができるとともに、仕切部材が不透明とされている構成と比較して、内部空間の視認性をより高めることができる。
【００１３】
請求項４に記載の建物構造は、請求項１〜３のいずれか１項に記載の建物構造であって、前記屋根材は、並列に延びる複数の梁材と、前記梁材の間に架設された連結部材と、前記梁材と前記連結部材の間に設けられた水平ブレースと、を有する。
【００１４】
上記構成によれば、屋根材を構成する梁材の間に連結部材及び水平ブレースを設けることで、屋根材の厚さを厚くすることなく剛性を高めることができる。これにより、屋根材を薄くすることができ、屋根材のデザイン性を高めることができる。
【発明の効果】
【００１５】
本発明に係る建物によれば、無駄な大空間を減らすことができるとともに、内部及び外部双方からの視認性を高めることができる。
【図面の簡単な説明】
【００１６】
【図１】本発明の実施形態の一例に係る建物構造の架構を示す平面図である。
【図２】図１における矢印Ａ方向から見た矢視図である。
【図３】図１におけるＢ−Ｂ線断面図である。
【発明を実施するための形態】
【００１７】
以下、本発明の実施形態の一例における建物構造について、図１〜図３を用いて説明する。なお、図１、図３において、矢印ＦＲは建物の正面側、矢印ＲＲは建物の奥側を示すものとする。
【００１８】
（構造）
図１に示すように、本実施形態の建物１０は、他の構造物としての第１構造物１２と、第１構造物１２に連結された一の構造物としての第２構造物１４とを有している。第１構造物１２は、例えば事務所であり、角型鋼管から成る角柱１６と、角柱１６に剛接合されたＨ型鋼から成る梁材１８と、を備えた柱梁架構の構造物とされ、第１構造物１２の外周面は図示しない外壁で覆われている。
【００１９】
また、図３に示すように、第１構造物１２は、一例として二階建てとされており、第１構造物１２の角柱１６の柱脚１６Ａは、コンクリート製の基礎２０から立上がった立上がり部２０Ａに埋設された根巻き式柱脚とされている。
【００２０】
図１に示すように、第２構造物１４は、例えば屋内展示場であり、丸鋼管から成る丸柱２２と、丸柱２２に剛接合されたＨ型鋼から成る梁材２４と、を備えた柱梁架構の構造物とされている。また、第２構造物１４の外周面のうち、奥側の２面（図１における右面及び下面）は図２に示すように外壁２６で覆われており、正面側の２面（図１における左面及び上面）は、図２に示すように透明なガラス壁２８で覆われている。
【００２１】
図３に示すように、第２構造物１４は、一例として平屋建てとされており、第２構造物１４の丸柱２２の柱脚２２Ａは、コンクリート製の基礎３０から立上がった立上がり部３０Ａに埋設された根巻き式柱脚とされている。
【００２２】
また、第２構造物１４は、互いに段違いとされた２つの屋根材３２、３４を有している。２つの屋根材３２、３４は、第２構造物１４の長手方向に沿って並列に延びており、第２構造物１４の丸柱２２によってそれぞれ支持されている。
【００２３】
奥側（図３における右側）の屋根材３２の高さは、正面側（図３における左側）の屋根材３４の高さより高くなっており、第２構造物１４における屋根材３２、３４の真下の内部空間は、互いに連通する第１空間３６及び第２空間３８とされている。さらに、屋根材３２、３４は、平面視で一部が互いにラップしており、ラップした部分において屋根材３２、３４間にはガラス等から成る透明な仕切部材４０が設置されている。
【００２４】
また、図２に示すように、奥側の屋根材３２の長手方向の長さは、正面側の屋根材３４の長手方向の長さより長くなっており、第２構造物１４の長手方向一端部（図２における左端部）において、屋根材３２、３４が丸柱２２及びガラス壁２８より外側に跳ね出すことにより、庇３２Ａ、３４Ａが形成されている。
【００２５】
ここで、図１に示すように、屋根材３２及び屋根材３４は、長手方向に沿って並列に延びる一対の梁材２４と、梁材２４の間に架渡された連結部材４２と、隣接する連結部材４２の間に架渡され、互いに同一直線状に並ぶ繋ぎ梁４４と、で構成されている。また、梁材２４、連結部材４２、及び繋ぎ梁４４で形成される矩形状の水平構面には、対角線に沿って水平ブレース４６がそれぞれ架渡されている。なお、屋根材３２、３４の水平構面の上側には、図示しない防水シートが葺かれ、下側には図示しない天井仕上げ材が敷設されている。
【００２６】
また、第１構造物１２及び第２構造物１４は、互いに交差するように配置されているとともに長手方向他端部（図１における下端部）において互いに連結されており、平面視で略Ｖ字状に配置されている。
【００２７】
具体的には、長手方向他端部において、第２構造物１４の屋根材３２の梁材２４及び連結部材４２が、第１構造物１２の角柱１６に剛接合されており、第１構造物１２の梁材１８が、丸柱２２を介して第２構造物１４の梁材２４に剛接合されている。すなわち、第１構造物１２と第２構造物１４とが、第１構造物１２の角柱１６の一部及び第２構造物１４の丸柱２２の一部を共有している。
【００２８】
なお、第２構造物１４の丸柱２２は、第１構造物１２の角柱１６より管径が細くされており、角柱１６より細長比が大きくされている。これにより、第２構造物１４は第１構造物１２と比較して水平方向の剛性が低くなっている。
【００２９】
第２構造物１４の正面側には、第２構造物１４から離間して第３構造物４８が設けられている。第３構造物４８は、例えば屋外展示場であり、第３構造物４８の外周面のうち、１面（図１における下面）は図２に示すように外壁５０で覆われており、残りの３面（図１における上面、左面、及び右面）は開放されている。
【００３０】
図２に示すように、第３構造物４８の屋根材５２は、第２構造物１４の屋根材３２、３４に並列に延びており、長手方向の長さが屋根材３４の長手方向の長さより短くなっている。また、第３構造物４８の屋根材５２の高さは、第２構造物１４の屋根材３４の高さより低くなっており、正面視において、３つの屋根材３２、３４、５２が階段状になっている。
【００３１】
さらに、第３構造物４８の屋根材５２は、長手方向一端部が外壁５０の上端部に接合されて支持されているとともに、長手方向他端部が自由端とされた片持ち構造（いわゆるキャンチレバー構造）とされている。
【００３２】
また、図３に示すように、第３構造物４８の屋根材５２は、複数（本実施形態では４本）のＨ形鋼から成る梁材５４と、梁材５４の上面及び下面に設けられ、梁材５４とともに閉断面を形成する一対のパネル部材５６と、で構成された、いわゆるモノコック構造とされている。
【００３３】
なお、第３構造物４８の下部の地中には、屋根材５２の長手方向に延びる一対のＨ形鋼５８が埋設されたＳＣ（鉄骨コンクリート）造の基礎６０が設けられており、第３構造物４８の外壁５０の下端部は基礎６０に接合されている。
【００３４】
（作用及び効果）
本実施形態の建物構造によれば、一の構造物としての第２構造物１４が他の構造物としての第１構造物１２に連結されている。特に本実施形態では、第１構造物１２と第２構造物１４とが交差して配置されているとともに、角柱１６の一部及び丸柱２２の一部を共有している。
【００３５】
このため、第１構造物１２によって第２構造物１４を補強することができ、第２構造物１４が第１構造物１２に連結されていない構成と比較して、第２構造物１４の丸柱２２の管径を細くすることができる。これにより、第２構造物１４の開放性を高めることができるとともに、第２構造物１４の内部及び外部双方からの視認性を高めることができる。
【００３６】
また、本実施形態によれば、第２構造物１４が段違いとされた２つの屋根材３２、３４を備えている。このため、屋根材３２、３４をそれぞれ真下の第１空間３６、第２空間３８の用途に応じた高さに設定することができ、第２構造物１４の屋根全体を高く設定する構成と比較して、無駄な大空間を減らすことができ、空調効率等を高めることができる。
【００３７】
なお、第１空間３６及び第２空間３８は、一例としてエントランスホールやショールームとして用いられ、第１空間３６内及び第２空間３８内に受付スペースや接客スペース、ライブラリーラウンジ等が設けられている。例えば第１空間３６をエントランスホールとして用い、第２空間３８をショールーム内の接客スペースとして用いる場合、接客スペースの屋根材３４の高さをエントランスホールの屋根材３２の高さより低く設定することで、接客スペースの空調効率等を高めることが可能となる。
【００３８】
特に本実施形態では、屋根材３２の高さが屋根材３４の高さより低く、第３構造物４８の屋根材５２の高さが屋根材３２の高さより低い。また、屋根材３２の長さが屋根材３４の長さより短く、第３構造物４８の屋根材５２の長さが屋根材３２の長さより短い。すなわち、正面視において３つの屋根材３２、３４、５２が奥側に向かって徐々に大きくなるため、屋根材３２、３４、５２の重なりの美しさ、及びリズム感を強調することができ、建物１０の外部からの印象を強くし、建物１０本体の視認性をより高めることができる。
【００３９】
また、本実施形態によれば、第２構造物１４の屋根材３２、３４が平面視で互いにラップしており、屋根材３２、３４間に透明な仕切部材４０が設置されている。このため、仕切部材４０によって第２構造物１４の内部空間（第１空間３６及び第２空間３８）の空気の流れを遮断することができるとともに、仕切部材４０が不透明とされている構成と比較して、内部空間の視認性をより高めることができる。
【００４０】
また、本実施形態によれば、屋根材３２、３４を構成する一対の梁材２４の間に連結部材４２及び水平ブレース４６が架渡されているため、屋根材３２、３４の厚さを厚くすることなく剛性を高めることができる。これにより、屋根材３２、３４を薄くすることができ、屋根材３２、３４のデザイン性を高めることができる。
【００４１】
また、第３構造物４８は、片持ち構造（いわゆるキャンチレバー構造）とされており、外周面のうち３面が開放されている。このため、例えば屋外展示場として、展示物の視認性の高い空間を実現することができる。
【００４２】
さらに、第３構造物４８の屋根材５２は、梁材５４と一対のパネル部材５６と、で構成された、モノコック構造とされている。このため、屋根材５２の厚さを厚くすることなく剛性を高めることができる。また、屋根材５２を薄くすることにより、屋根材５２のデザイン性を高めることができ、屋根材３２、３４、５２の重なりのラインをシャープに見せることができる。
【００４３】
（その他の実施形態）
以上、本発明について実施形態の一例を説明したが、本発明はかかる実施形態に限定されるものではなく、本発明の範囲内にて他の種々の実施形態が可能である。
【００４４】
例えば、上記実施形態では、第１構造物１２及び第２構造物１４が互いに交差するように配置されていた。しかし、第１構造物１２及び第２構造物１４は、少なくとも一部が連結されていればよく、互いに並列又は直列に配置されていてもよい。
【００４５】
また、上記実施形態では、第２構造物１４が段違いとされた２つの屋根材３２、３４を有していたが、屋根材３２、３４は２つに限られず、第２構造物１４が段違いとされた３つ以上の屋根材を有していてもよい。
【００４６】
さらに、上記実施形態では、平面視で屋根材３２、３４の一部がラップしていたが、屋根材３２を屋根材３４の下部に配置することにより、屋根材３２全体が屋根材３４にラップする構成としてもよく、また、屋根材３２と屋根材３４を平面視で離間して配置してもよい。
【００４７】
また、屋根材３２の真下の第１空間３６内に、屋根材３２、３４より高さが低い別の屋根材を設けることにより、第１空間３６の一部に高さが異なる第３空間を設けてもよい。これにより、例えば第１空間３６をエントランスホールとして用い、第３空間をエントランスホール内の受付スペースとして用いることができ、受付スペースの空調効率等を高めることが可能となる。
【００４８】
また、上記実施形態では、第２構造物１４と第３構造物４８とが離間して配置されていたが、隣接させて１つの構造物としてもよい。さらに、屋根材３２、３４、５２は、奥側に向かって高さが高くなる構成とされていたが、屋根材の高さが互い違いとなる構成とされていてもよい。
【符号の説明】
【００４９】
１２          第１構造物（一の構造物の一例）
１４          第２構造物（他の構造物の一例）
１６          角柱（柱の一例）
２２          丸柱（柱の一例）
３２、３４    屋根材
４０          仕切部材
【図１】
2019100022.tif 000003
【図２】
2019100022.tif 000004
【図３】
2019100022.tif 000005